(57)【要約】【課題】複数回に渡って放送される新番組を自動録画することが可能な放送記録装置を得ること。【解決手段】ディジタル放送される番組を受信して録画する放送記録装置１において、放送される番組に関する番組情報を取得するＤｅＭＵＸ処理部１２と、取得した番組情報から新番組に関する情報を抽出するＳＩ情報解析部１５と、抽出した番組情報に基づいて新番組の録画予約をしておく録画条件設定部２１と、録画予約された新番組を録画する記憶部１７と、を備える。【選択図】        図１
2005278096.tif 000002
【特許請求の範囲】
【請求項１】
放送される番組に関する番組情報を取得する情報取得部と、
前記取得した番組情報から前記放送される番組が新番組であるか否かを示す情報を抽出する情報抽出部と、
前記抽出した情報に基づいて放送される新番組の記録予約をする番組予約部と、
記録予約された前記新番組を記録媒体に記録させる記録制御部と、
を備えたことを特徴とする記録装置。
【請求項２】
前記番組情報は、少なくとも放送される番組のチャンネルの識別情報と前記番組の放送開始日時及び放送終了日時を示す情報からなることを特徴とする請求項１に記載の記録装置。
【請求項３】
ネットワークを介して情報を受信するインタフェースを有し、
前記番組情報は前記ネットワークを介して受信されることを特徴とする請求項１又は請求項２に記載の記録装置。
【請求項４】
前記放送は映像情報及び音声情報に加え前記番組情報を含む付加情報が伝送されるディジタル放送であって、
前記情報抽出部は、前記付加情報に基づいて前記番組情報を抽出することを特徴とする請求項１又は請求項２に記載の記録装置。
【請求項５】
前記新番組は複数回に渡って放送される番組であって、
前記番組予約部は、前記新番組を最初の放送を含む所定回数記録予約をすることを特徴とする請求項１〜４のいずれか１つに記載の記録装置。
【請求項６】
前記記録媒体の記録容量の残容量を検出する第一検出部と、
記録予約された前記新番組の容量を検出する第二検出部と、
前記残容量が記録予約された前記新番組の容量より少ないか否かを判断する判断部と、
前記判断部において前記残容量が前記記録予約された前記新番組の容量より少ないと判断された場合に、前記記録媒体で記録されている番組を削除する削除制御部とを有することを特徴とする請求項１〜５のいずれか１つに記載の記録装置。
【請求項７】
前記記録媒体には記録されている番組に関する番組情報が記録されており、
前記番組に関する番組情報に応じて、記録されている番組を削除する優先度を設定する削除条件設定部を有することを特徴とする請求項６に記載の記録装置。
【請求項８】
番組の視聴履歴を記録する視聴履歴記録部を備え、
前記削除条件設定部は、前記記録媒体において削除する番組の優先度を前記視聴履歴に基づいて設定することを特徴とする請求項７に記載の記録装置。
【請求項９】
放送される番組の記録方法において、
前記放送される番組に関する番組情報を取得する第１のステップと、
前記取得した番組情報から前記放送される番組が新番組であるか否かを示す情報を抽出する第２のステップと、
前記抽出した情報に基づいて放送される新番組の記録予約をする第３のステップと、
記録予約された前記新番組を記録媒体に記録する第４のステップと、
を含むことを特徴とする記録方法。
【発明の詳細な説明】
【技術分野】
【０００１】
本発明は、放送を記録する記録装置および記録方法に関するものである。
【背景技術】
【０００２】
従来、テレビ番組等の録画予約は、新聞や雑誌に掲載されたテレビ番組の放送予定表等に基づいて録画予約したい番組のチャンネルと録画開始日時等をビデオデッキに入力するか、録画予約したい番組のＧコードをビデオデッキに入力していた。また、ユーザ（番組の視聴者）によるビデオデッキ等の使用状況に基づいてユーザの趣向を学習し、ユーザの趣向と一致または類似するテレビ番組を自動的に録画することが行われていた。
【０００３】
ところで近年電子番組ガイドであるＥＰＧ（Electronic Program Guide）が急速に普及しつつある。このＥＰＧをビデオデッキ等で受信させることで、視聴者はＥＰＧに基づいてテレビ番組の録画予約を行うことができる。
【０００４】
特許文献１に記載の放送映像自動録画装置は、ユーザが予め指定した検索キーワードを記憶する手段と、放送映像に関する番組情報を収集する手段を備えている。そして、指定した検索キーワードと収集した番組情報とを照合することによって録画対象となる番組を自動的に選択し、受信機を制御して録画対象となった番組の受信映像を画像ファイルに蓄積している。
【０００５】
【特許文献１】特開２０００−１７５１４１号公報
【発明の開示】
【発明が解決しようとする課題】
【０００６】
上記従来の技術によれば、指定しておいたキーワードに基づいて番組を自動録画することは可能となる。しかし、放送される番組が今までにない新しいジャンルの新番組である場合、新しいジャンルの番組の番組情報と一致するキーワードを指定することが困難であり、新しいジャンルの番組が録画対象になりにくい。このため、ユーザが希望する番組の録画を行えない場合が生じるといった問題があった。
【０００７】
また、新しく始まる連続ドラマ等は、最初の数回を放送した後にこのドラマ等がヒットするか否かが決まるという傾向にある。このため、連続ドラマが最初の数回放送された後に、ユーザが知人等からこの連続ドラマに関する情報を聞いた場合等に、ユーザは連続ドラマの途中回からしか見ることができないといった問題があった。
【０００８】
本発明は、上記に鑑みてなされたものであって、複数回に渡って放送される新番組を自動記録することが可能な記録装置を得ることを目的とする。
【課題を解決するための手段】
【０００９】
上述した課題を解決し、目的を達成するために、請求項１に記載の発明は、放送される番組に関する番組情報を取得する情報取得部と、前記取得した番組情報から前記放送される番組が新番組であるか否かを示す情報を抽出する情報抽出部と、前記抽出した情報に基づいて放送される新番組の記録予約をする番組予約部と、記録予約された前記新番組を記録媒体に記録させる記録制御部と、を備えたことを特徴とする。
【００１０】
また、請求項８に記載の発明は、放送される番組の記録方法において、前記放送される番組に関する番組情報を取得する第１のステップと、前記取得した番組情報から前記放送される番組が新番組であるか否かを示す情報を抽出する第２のステップと、前記抽出した情報に基づいて放送される新番組の記録予約をする第３のステップと、記録予約された前記新番組を記録媒体に記録する第４のステップと、を含むことを特徴とする。
【発明を実施するための最良の形態】
【００１１】
以下に、本発明に係る放送記録装置（記録装置）の実施の形態を説明する。なお、この実施の形態によりこの発明が限定されるものではない。以下では、本発明の放送記録装置の概略と特徴を実施の形態として説明し、その後に放送記録装置に関する実施例を説明する。
【００１２】
［実施の形態］
複数回に渡って放送される番組は、マスコミによる番組の人気に関する情報や注目度、知人からの噂等によって視聴率が変化する。このため、複数回に渡って放送される番組は所定回数の放送の後、視聴者がこの番組を視聴したいと考える場合が多い。
【００１３】
しかし、複数回に渡って放送される番組を所定回数の放送の後、視聴者が視聴を開始する場合、途中回からの放送からしか視聴することができず視聴者としては見逃した放送を改めて視聴したいと考える。複数回に渡って放送される番組のうち、連続して放送される続き物のドラマ（例えば毎週１回ずつ放送）等では特に初回放送分から視聴できることを視聴者は希望する。
【００１４】
そこで、本実施の形態の放送記録装置は、複数回に渡って放送される新番組のうち最初の所定回数分の放送を自動的に録画（記録）しておく。放送記録装置は、ディジタル放送波を受信して映像データや音声データを記録する装置であり、ＳＩ（Service Information）やＥＰＧ（Electronic Program Guide）に基づいて、複数回に渡って放送される新番組のうち最初の所定回数分の放送を自動的に録画する。
【００１５】
ディジタル放送としては、例えばＢＳ（Broadcasting Satellite）ディジタル放送、ＣＳ（communications satellite）ディジタル放送、地上ディジタル放送、ディジタル化されたＣＡＴＶ（Community Antenna TeleVision）、ＢＳラジオ（ディジタル音声放送）等がある。
【００１６】
ＳＩは、放送される番組やサービスの情報（電子番組ガイド）を記述したデータであり、番組を選択的に受信する際に用いられる。ＳＩには、各放送事業者が共通して送出する全局ＳＩと放送事業者毎に送出する各局ＳＩがある。これらのＳＩに含まれる情報としては、ＴＳ（Transport Stream）中に存在する番組のチャンネル番号、チャンネル名、番組名、放送日時、連続番組である場合の総放送回数、連続番組において第何回目の放送であるか、番組の種別、番組内容の説明等がある。例えば、１週間に１回ずつ１０週連続して放送する連続ドラマである場合には、総放送回数が１０回、第１回目の放送である旨などの情報がＳＩに含まれる。
【００１７】
ＥＰＧは、電子番組ガイド等のデータでありＥＰＧによってテレビの画面等に番組表を表示することができる。ＥＰＧによってもＳＩと同様に番組のチャンネル番号、チャンネル名、番組名、放送日時、連続番組である場合の総放送回数、連続番組において第何回目の放送であるか、番組の種別、番組内容の説明等の情報を取得することができる。ＥＰＧは、放送される番組の電波等の合間に番組表データを送る方式と、インターネットによって番組表データを送る方式がある。例えば、インターネットを介して番組表データを取得するｉＥＰＧがある。
【００１８】
放送記録装置は、ＳＩやＥＰＧに基づいて複数回に渡って放送される新番組を抽出しておき、抽出した新番組を録画予約するよう設定しておく。録画予約する番組は、複数回放送される番組のうち最初の所定回数分の放送とすることによって番組記憶（記録）の負担を軽減する。また、放送記録装置は番組を記憶する容量が少なくなった場合は、自動録画によって録画された番組であること、録画されてから一度も視聴されていない期間、複数回に渡って放送される番組が一度も視聴されずに録画された場合の番組の録画回数、記憶容量が少なくなった場合に削除することを許可された番組であること等の条件に基づいて番組を削除する。さらに、番組を削除する際には、削除する優先度を設定しておく。
【００１９】
このように、実施の形態によればＳＩやＥＰＧに基づき、複数回に渡って放送される新番組の最初の所定回数分の放送を録画しておくので、視聴者が見逃した最初の所定回数分の放送を視聴者が改めて視聴することが可能となる。これにより、複数回に渡って放送される番組が続き物である場合であっても全回放送分を順番通りに視聴することが可能となる。
【実施例１】
【００２０】
図１は、本発明の実施例１にかかる放送記録装置の構成を示すブロック図である。放送記録装置１は、ディジタル放送波を受信して映像データや音声データを記録する装置であり、チューナ部１１、ＤｅＭＵＸ(Demulti- plexer)処理部（情報取得部）１２、ＭＰＥＧ（Motion Picture Expert Group）復調部１３、表示部１４、ＳＩ情報解析部（情報抽出部）１５、録画／再生制御部１６、記憶部（記録媒体）１７、入力部１８、条件設定部２０からなる。なお、録画／再生制御部１６は例えばＣＰＵ及びそれにより制御されるソフトウェアにより構成されるものであり、特許請求の範囲に記載の記録制御部、削除制御部、判断部、第一検出部、第二検出部に対応する。
【００２１】
チューナ部１１は、ＳＩ情報解析部１５からの指示情報や録画／再生制御部１６からの指示情報に基づいて所定の周波数の信号を選局して受信し、ＴＳを抽出する。チューナ部１１は、抽出したＴＳを復調しビット誤りの訂正を行なった後、このＴＳをＤｅＭＵＸ処理部１２や録画／再生制御部１６に送る。チューナ部１１は、受信した番組を再生する場合は番組のＴＳをＤｅＭＵＸ処理部１２に送信し、受信した番組を録画する場合は番組のＴＳを録画／再生制御部１６に送信する。
【００２２】
ＤｅＭＵＸ処理部１２は、番組等を送信する送信側の多重装置（図示せず）において映像や音声などの複数のストリームが多重されている場合に多重されたＴＳから必要なストリームの抽出（パケットの選別）を行う。ＤｅＭＵＸ処理部１２は、種々のストリームのパケットから必要とする映像パケット（映像信号）、音声パケット（音声信号）、ＰＳＩ（Program Specific Information）／ＳＩ信号のパケット（付加情報）等を抽出する。ＤｅＭＵＸ処理部１２は、抽出したＳＩをＳＩ情報解析部１５に送り、抽出した映像信号や音声信号等をＭＰＥＧ復調部１３に送る。
【００２３】
ＳＩに含まれる情報としては、ＴＳ中に存在する番組のチャンネル番号、チャンネル名、番組名、放送日時、連続番組である場合の総放送回数、連続番組において第何回目の放送であるか、番組の種別、番組内容の説明等がある。例えば、１週間に１回ずつ１０週連続して放送する連続ドラマである場合には、総放送回数が１０回、第１回目の放送である旨などの情報がＳＩに含まれる。
【００２４】
ＭＰＥＧ復調部１３は、ＤｅＭＵＸ処理部１２によって取り出された映像信号や音声信号の復号化（デコード）を行う。例えば、ＭＰＥＧ２規格によって符号化（エンコード）された映像信号や音声信号をＭＰＥＧ２規格に従って復号化する。ＭＰＥＧ復調部１３によって復号化された映像信号や音声信号は、表示部１４に送られる。
【００２５】
ＳＩ情報解析部１５は、ＤｅＭＵＸ処理部１２から送られるＳＩを解析し、解析した情報を条件設定部２０に送る。ＳＩ情報解析部１５は、例えば新番組の連続ドラマに関するＳＩを確認した場合にこのＳＩを条件設定部２０に送る。また、ＳＩ情報解析部１５は、条件設定部２０から番組の録画を開始するよう指示情報を受けた場合は、ＤｅＭＵＸ処理部１２から送られるＳＩが録画すべき番組のＳＩか否かを判断する。ＳＩ情報解析部１５が、録画すべき番組のＳＩであると判断した場合は、チューナ部１１に録画すべき番組のＳＩを受信した旨の情報を送信する。
【００２６】
条件設定部２０は、録画する番組に関する情報や記憶部１７で録画しておいた番組の削除に関する情報を格納しており、録画条件設定部２１と削除条件設定部２２を備えている。
【００２７】
録画条件設定部（番組予約部）２１は、新番組の連続ドラマ等の複数回に渡って放送される番組を最初の所定回数分だけ録画するようソフトウェア等により構成される。録画条件設定部２１は、ＳＩ情報解析部１５から送られるＳＩに基づいて番組の録画予約の設定を行う。番組の録画予約は、番組のチャンネル、放送開始日時、放送終了日時等によって設定しておく。
【００２８】
削除条件設定部２２はソフトウェア等により構成され、録画すべき番組が録画条件設定部２１において設定されている場合であって、記憶部１７において録画すべき番組を録画するための録画領域が足りない場合に、記憶部１７から番組を削除するための条件（削除条件）と番組を削除する際の削除に関する優先度（削除優先度）が設定されている。
【００２９】
削除条件は、録画されてから一度も視聴されていない期間（Ｎ日（Ｎは自然数））、複数回に渡って放送される番組が一度も視聴されずに録画されている時の番組の録画回数（Ｍ回（Ｍは自然数））等に基づいて任意に設定しておく。削除優先度は、放送記録装置１の使用者（視聴者）による番組の視聴履歴等に基づいて設定する。
【００３０】
録画／再生制御部１６は、録画条件設定部２１の設定や使用者からの指示に基づいてチューナ部１１や記憶部１７を制御する。記憶部１７は、例えばＨＤＤ（Hard Disk Drive）からなり、チューナ部１１が受信した番組のＴＳを録画／再生制御部１６を介して受信し記憶する。また、記憶部１７は記憶している番組の一覧表等を記憶する。記憶部１７によって記憶している番組は、録画／再生制御部１６の制御により必要に応じて削除される。
【００３１】
表示部１４は、テレビモニタ等からなり、ＭＰＥＧ復調部１３によって復号化された映像信号や音声信号、記憶部１７において記憶している番組の一覧表等を表示する。入力部１８は、視聴したい番組に関する情報として例えばチャンネル番号等を入力するためのリモートコントロール等である。入力部１８へは削除優先度を設定するための条件等を入力する。
【００３２】
つぎに、図２のフローチャートを参照して、図１に示した放送記録装置の動作を詳細に説明する。放送記録装置１の使用者は、番組を自動録画する場合は入力部１８から自動録画をＯＮにするよう指示情報を入力し、番組を自動録画させない場合は入力部１８から自動録画をＯＦＦにするよう指示情報を入力する。入力部１８からの指示情報は、条件設定部２０に送られ、条件設定部２０の録画条件設定部２１はこの指示情報に基づいて番組を自動録画するか否かの条件を設定する。
【００３３】
録画／再生制御部１６は、録画条件設定部２１において番組を自動録画するよう設定してあるか（自動録画ＯＮ）、番組を自動録画しないよう設定してあるか（自動録画ＯＦＦ）を確認する（ステップＳ１００）。
【００３４】
録画／再生制御部１６が、録画条件設定部２１において番組を自動録画ＯＦＦに設定してあると確認した場合は（ステップＳ１００、Ｎｏ）、記憶部１７内に番組の録画領域が残っているか否かを確認する（ステップＳ１１０）。ここでは録画／再生制御部１６が特許請求の範囲の第一検出部と判断部に対応している。
【００３５】
記憶部１７内に番組の録画領域が残っていないと確認された場合は（ステップＳ１１０、Ｎｏ）、放送記録装置１の使用者によって入力部１８から自動録画をＯＮにするよう指示情報が入力されて録画／再生制御部１６が録画条件設定部２１から番組を自動録画するよう設定してあると確認するか、または録画／再生制御部１６が記憶部１７内に番組の録画領域が残っていると確認するまで、録画／再生制御部１６は番組の自動録画処理を行わせない（ステップＳ１００〜Ｓ１１０）。記憶部１７内に番組の録画領域が残っていると確認された場合は（ステップＳ１１０、Ｙｅｓ）、録画条件設定部２１の設定を自動録画ＯＮにする（ステップＳ１２０）。
【００３６】
録画／再生制御部１６が、録画条件設定部２１の設定が自動録画ＯＮであると確認した場合（ステップＳ１００でＹｅｓまたはステップＳ１２０）、録画／再生制御部１６は、チューナ部１１がＳＩを含んだ任意の番組を受信するようチューナ部１１を制御する。チューナ部１１は、ＳＩを含んだ任意の番組を受信して受信した信号からＴＳを抽出し、このＴＳを復調して誤り訂正等を行った後ＤｅＭＵＸ処理部１２に送る。
【００３７】
ここで、ディジタル放送によって送信されるＴＳについて説明する。図３は、ディジタル放送によって送信されるＴＳを説明するための図である。放送事業者等の送信元によって、それぞれ周波数の異なる複数のチャンネルの番組が送信（放送）される。
【００３８】
ディジタル放送が例えばＢＳディジタル放送である場合、送信元からは例えばＢＳ−１ｃｈ（チャンネル）、ＢＳ−３ｃｈ、ＢＳ−１５ｃｈのようにチャンネル毎に周波数の異なる番組が送信される。各チャンネルは、最大８つのＭＰＥＧ２−ＴＳを含むことが可能であり、１つのＴＳによって最大３２のサービスを送信することが可能である。
【００３９】
ＴＳには、映像・音声データ、全局ＳＩが含まれており、映像・音声データには種々の各局ＳＩや種々のサービスが含まれている。例えば、映像・音声データには各局ＳＩ（Ａ）、各局ＳＩ（Ｂ）、各局ＳＩ（Ｃ）とサービスＡ、サービスＢ等が含まれている。
【００４０】
全局ＳＩや各局ＳＩには、ＴＳ中に存在する番組のチャンネル番号、チャンネル名、番組名、放送日時、連続番組である場合の総放送回数、連続番組において第何回目の放送であるか、番組の種別、番組内容の説明等の情報が含まれる。
【００４１】
ＤｅＭＵＸ処理部１２は、多重されたＴＳから必要なストリームの抽出を行う。ＤｅＭＵＸ処理部１２は、種々のストリームのパケットからＳＩ信号のパケット（全局ＳＩや各局ＳＩ）等を抽出（取得）する（ステップＳ１３０）。ＤｅＭＵＸ処理部１２において抽出されたＳＩは、ＳＩ情報解析部１５に送られる。
【００４２】
ＳＩ情報解析部１５は、ＤｅＭＵＸ処理部１２から受信したＳＩに基づいて、これから放送される番組であって、連続ドラマ等の新番組があるか否かを確認する（ステップＳ１４０）。連続ドラマ等の新番組がない場合は（ステップＳ１４０、Ｎｏ）、自動録画がＯＮの状態であって、ＳＩ情報解析部１５がＤｅＭＵＸ処理部１２から受信したＳＩに基づいて連続ドラマ等の新番組があると確認するまで自動録画を行わない。一方、連続ドラマ等の新番組がある場合は（ステップＳ１４０、Ｙｅｓ）、この番組のＳＩを抽出しておく。ＳＩ情報解析部１５は、例えば１週間に１回ずつ１０週連続して放送される連続ドラマがある場合、所定の放送回数分（例えば最初の４回）のＳＩを抽出する。ここでのＳＩには番組のチャンネル番号、番組名、放送日時等の情報が含まれている。連続ドラマ等の新番組がある場合（ステップＳ１４０、Ｙｅｓ）、録画／再生制御部１６は、ＳＩ情報解析部１５が取得したＳＩに基づいて新番組を録画するのに必要な容量を検出するとともに、録画／再生制御部１６は記憶部１７に新番組を録画するのに必要な録画領域（残容量）が残っているかを確認する（ステップＳ１５０）。ここでは録画／再生制御部１６は例えばＣＰＵ及びそれにより制御されるソフトウェアにより構成されるものであり、特許請求の範囲の第一検出部、第二検出部、判断部に対応している。
【００４３】
録画／再生制御部１６が記憶部１７に録画領域が残っていると判断した場合（ステップＳ１５０、Ｙｅｓ）、録画／再生制御部１６は条件設定部２０に番組の録画予約の設定を行うよう指示情報を送る。条件設定部２０の録画条件設定部２１は、ＳＩ情報解析部１５が抽出したＳＩを録画条件設定部２１に送信するよう要求し、ＳＩ情報解析部１５からＳＩを取得する。録画条件設定部２１は、このＳＩに基づいて番組の録画予約に関する情報を設定（予約モード設定）しておく（ステップＳ１５５）。例えば、Ｘチャンネルで、毎週水曜日の午後９時から午後１０時まで１０週連続して放送されるドラマＹが３月１０日から始まる場合、３月１０日、３月１７日、３月２４日、３月３１日の午後９時から午後１０時までＸチャンネルのドラマＹを録画するよう設定しておく。
【００４４】
録画／再生制御部１６が記憶部１７に録画領域が所定容量以上残っていないと判断した場合（ステップＳ１５０、Ｎｏ）、録画／再生制御部１６は記憶部１７において記憶している番組（コンテンツ）の中から削除可能な番組があるか否かを確認する（ステップＳ１６０）。
【００４５】
記憶部１７において記憶している番組であって削除可能な番組があるか否かは、条件設定部２０の削除条件設定部２２において設定されている削除条件と削除優先度に基づいて判断する。
【００４６】
削除条件としては、自動録画によって録画された番組であること、記憶部１７において録画されてから一度も視聴されていない期間（Ｎ日（Ｎは自然数））、連続ドラマ等の番組が一度も視聴されずに録画された場合のこの連続ドラマの録画回数（Ｍ回（Ｍは自然数））、記憶部１７での記憶容量が少なくなった場合に削除することを許可された番組であること等の条件に基づいて設定する。
【００４７】
削除条件設定部２２へは、記憶部１７において録画されてから一度も視聴されていない期間として例えば３０日間を入力部１８を介して予め入力しておく。また、削除条件設定部２２へ、連続ドラマ等の番組が一度も視聴されずに録画された場合のこの連続ドラマの録画回数として例えば３回を入力部１８を介して予め入力しておく。これにより、記憶部１７において録画されてから３０日間視聴されていない番組や初回の放送から３回放送分まで録画されたにも関わらず一度も視聴されていない番組が削除可能な番組となる。
【００４８】
削除条件設定部２２は、例えば自動録画によって録画された番組であって、記憶部１７において録画されてから一度も視聴されていない期間が３０日である番組を削除可能な番組の条件Ｄ１として設定する。また、削除条件設定部２２は、例えば自動録画によって録画された番組であって、連続ドラマ等の番組が一度も視聴されずに録画された場合のこの連続ドラマの録画回数が３回である番組を削除可能な番組の条件Ｄ２として設定する。また、削除条件設定部２２は、例えば記憶部１７での記憶容量が少なくなった場合に削除することを許可された番組を削除可能な番組の条件Ｄ３として設定する。
【００４９】
また、削除条件設定部２２は、削除可能な番組の条件Ｄ１〜Ｄ３に対して削除の優先度を設定しておいてもよい。さらに、番組削除の優先度を放送記録装置１の使用者による番組の視聴履歴に基づいて設定してもよい。この場合、放送記録装置１の使用者が番組の種類として時代劇をよく見る傾向にあるとか、ある放送局の連続ドラマをよく見るとか、ある時間帯のドラマをよく見るとかいった情報に基づいて記憶部１７において記憶している番組の中から削除する番組の優先度を決定する。
【００５０】
放送記録装置１の使用者によって視聴されている番組の内容に関する情報（視聴履歴）は、例えばＤｅＭＵＸ処理部１２によって処理されているＳＩをＳＩ情報解析部１５が解析することによって取得する。ここでは特許請求の範囲の視聴履歴記憶部がＳＩ情報解析部１５に対応する。
【００５１】
ＳＩ情報解析部１５が解析したＳＩによって例えば放送記録装置１の使用者が放送される番組のうち時代劇をよく視聴している傾向にあると判断した場合は、記憶部１７に記憶していた番組のうち時代劇以外の番組の削除の優先度を高くするよう削除条件設定部２２において設定しておく。
【００５２】
録画／再生制御部１６は、記憶部１７と削除条件設定部２２にアクセスし、記憶部１７に削除可能な番組の条件Ｄ１〜Ｄ３を満たす番組が含まれていると判断した場合は（ステップＳ１６０、Ｙｅｓ）、記憶部１７においてどの番組を優先的に削除させるかを判断する。
【００５３】
削除条件設定部２２が、削除優先度の順番を削除可能な番組の条件Ｄ３、Ｄ２、Ｄ１としている場合であって、記憶部１７から番組を削除する必要がある場合、録画／再生制御部１６は、削除可能な番組の条件Ｄ３を満たす番組をまず記憶部１７から削除させる（ステップＳ１７０）。このとき、削除可能な番組の条件Ｄ３を満たす番組が複数ある場合は、番組の視聴履歴によって設定した削除優先度に基づいて記憶部１７から削除する番組を決定する。例えば、時代劇以外の番組を記憶部１７から先に削除させる。
【００５４】
記憶部１７から時代劇以外の番組が消去された場合は、再び録画／再生制御部１６が記憶部１７に録画領域が残っているかを確認する（ステップＳ１５０）。そして、記憶部１７からさらに番組を削除する必要がある場合（ステップＳ１５０、Ｎｏ）、録画／再生制御部１６は削除可能な番組の条件Ｄ１を満たす時代劇を記憶部１７から削除させる（ステップＳ１６０、Ｓ１７０）。
【００５５】
記憶部１７から番組が消去された場合は、再び録画／再生制御部１６が記憶部１７に録画領域が残っているかを確認する（ステップＳ１５０）。そして、記憶部１７からさらに番組を削除する必要がある場合（ステップＳ１５０、Ｎｏ）、録画／再生制御部１６は削除可能な番組の条件Ｄ２を満たす番組を記憶部１７から削除させ（ステップＳ１６０、Ｓ１７０）、記憶部１７からさらに番組を削除する必要がある場合は（ステップＳ１５０、Ｎｏ）、削除可能な番組の条件Ｄ２を満たす番組を記憶部１７から削除させる（ステップＳ１６０、Ｓ１７０）。
【００５６】
また、削除条件設定部２２が、削除可能な番組の条件Ｄ１〜Ｄ３の優先度を同一として設定している場合であって、記憶部１７から番組を削除する必要がある場合（ステップＳ１５０、Ｎｏ）、録画／再生制御部１６は削除可能な番組の条件Ｄ１〜Ｄ３を満たす番組全てを記憶部１７から同時に削除させる（ステップＳ１６０、Ｓ１７０）。
【００５７】
録画／再生制御部１６は、記憶部１７と削除条件設定部２２にアクセスし、記憶部１７に削除可能な番組の条件Ｄ１〜Ｄ３を満たす番組が含まれていないと判断した場合は（ステップＳ１６０、Ｎｏ）、放送記録装置１の使用者に対して記憶部１７に記憶している番組の中で削除（消去）してもよい番組があるか否かを問い合わせる。録画／再生制御部１６は、表示部１４や他の表示装置（図示せず）に「記憶部１７に記憶している番組の中で消去してもよい番組があるか」といった内容の問合せを表示させるための指示情報を送信する。表示部１４や他の表示装置は、「記憶部１７に記憶している番組の中で消去してもよい番組があるか」といった内容の問合せを表示する（ステップＳ１８０）。このとき、録画／再生制御部１６は、記憶部１７において記憶している番組の一覧表等を表示部１４に表示させ、放送記録装置１の使用者は表示部１４において表示されている内容を確認する。
【００５８】
放送記録装置１の使用者は、記憶部１７に記憶している番組の中で消去してもよい番組があると判断した場合は、消去してもよい番組を入力部１８を介して指定する。一方、放送記録装置１の使用者が記憶部１７に記憶している番組の中で消去してもよい番組がないと判断した場合は、番組を消去しない旨の指示情報を入力部１８に入力する。
【００５９】
入力部１８は、使用者によって入力された情報を録画／再生制御部１６に送り、録画／再生制御部１６は、放送記録装置１の使用者によって削除してもよい番組が指定されたか否かを確認する（ステップＳ１９０）。
【００６０】
録画／再生制御部１６が、放送記録装置１の使用者によって削除してもよい番組が指定されたと確認した場合は、この指定された番組を記憶部１７から消去させる（ステップＳ１７０）。
【００６１】
一方、録画／再生制御部１６が放送記録装置１の使用者によって番組を消去しない旨の指示情報が入力されたことを確認した場合は、録画条件設定部２１の設定を自動録画ＯＦＦにさせる（ステップＳ２００）。この後、放送記録装置１の使用者が自動録画ＯＮにさせる等して録画条件設定部２１の設定が自動録画ＯＮになるまで自動録画処理は行われない。
【００６２】
記憶部１７から番組が消去されて録画／再生制御部１６が記憶部１７に録画領域が所定容量以上残っていると確認した場合（ステップＳ１５０、Ｙｅｓ）、録画条件設定部２１は、ＳＩ情報解析部１５からのＳＩに基づいて番組の録画予約に関する情報（予約モード）を設定する（ステップＳ１５５）。
【００６３】
この後、録画条件設定部２１における番組の録画予約の設定に基づいて番組の録画が行われる。録画条件設定部２１において設定しておいた番組の録画開始日時になると、録画条件設定部２１は録画／再生制御部１６に対して番組を録画するよう指示情報を送る。ここでの指示情報には、番組のチャンネル番号、番組の録画開始時刻、番組の録画終了時刻等が含まれる。また、録画条件設定部２１において設定しておいた番組の録画開始日時になると、録画条件設定部２１はＳＩ情報解析部１５に対してＳＩの解析を開始するよう指示情報を送る。ここでの指示情報には、録画予約されている番組の識別情報等が含まれる。
【００６４】
録画条件設定部２１から指示情報を受けた録画／再生制御部１６は、チューナ部１１に対して、録画予約されている番組を受信するよう指示情報を送る。チューナ部１１は、録画／再生制御部１６から指示されたチャンネルの放送（信号）を選局して受信する。
【００６５】
チューナ部１１は、受信した信号からＴＳを抽出し、このＴＳを復調して誤り訂正等を行った後ＤｅＭＵＸ処理部１２に送る。ＤｅＭＵＸ処理部１２はＴＳから各局ＳＩ等のこの番組を識別するための情報を抽出し、ＳＩ情報解析部１５に送る。ＳＩ情報解析部１５は、録画予約されている番組の識別情報に基づいてＤｅＭＵＸ処理部１２からの
情報が録画予約された番組であるかを判断する。ＳＩ情報解析部１５が受信している番組が、録画予約されている番組であると判断した場合には、チューナ部１１に対して、この番組を録画／再生制御部１６に送信するよう指示情報を送る。チューナ部１１は、受信した信号からＴＳを抽出し、このＴＳを復調して誤り訂正等を行った後、録画／再生制御部１６を介して記憶部１７に送る。記憶部１７はチューナ部１１からのＴＳを記憶する。
【００６６】
放送記録装置１の使用者が、記憶部１７によって記憶されている番組を視聴する場合は、放送記録装置１の使用者が入力部１８から番組を視聴する旨の情報を入力する。入力部１８は、番組を視聴する旨の情報を録画／再生制御部１６に送信し、録画／再生制御部１６は、記憶部１７において記憶している番組の一覧表等を表示部１４に表示させる。
【００６７】
放送記録装置１の使用者は表示部１４において表示されている内容を確認し、所望の番組を一覧表から選択し、選択した番組を指定するための指定情報を入力部１８に入力する。
【００６８】
入力部１８は、番組の指定情報を録画／再生制御部１６に送信し、録画／再生制御部１６は指定情報に基づいて記憶部１７において記憶している番組の中から使用者によって指定された番組を抽出する。録画／再生制御部１６は、記憶部１７から抽出した番組のＴＳをＤｅＭＵＸ処理部１２に送る。ＤｅＭＵＸ処理部１２は、多重されたＴＳから必要なストリームの抽出を行う。ＤｅＭＵＸ処理部１２は、種々のストリームのパケットから必要とする映像パケット、音声パケット、ＳＩ信号のパケット等を抽出する。ＤｅＭＵＸ処理部１２において抽出された映像パケット、音声パケット、ＳＩ信号のパケットはＭＰＥＧ復調部１３に送られる。ＭＰＥＧ復調部１３は、映像信号、音声信号をデコードし表示部１４において番組が表示される。
【００６９】
表示部１４において表示された番組は記憶部１７から削除しておく。ＤｅＭＵＸ処理部１２は、番組の視聴履歴を取得するため記憶部１７からのＴＳに基づいて映像パケット、音声パケット、ＳＩ信号のパケット等を抽出した場合や、チューナ部１１からのＴＳに基づいて映像パケット、音声パケット、ＳＩ信号のパケット等を抽出した場合に、抽出したＳＩ信号のパケットをＳＩ情報解析部１５に送る。ＳＩ情報解析部１５は、このＳＩ信号を解析し、番組の種類やチャンネル名等の情報を削除条件設定部２２に送る。削除条件設定部２２はＳＩ情報解析部１５からの情報を視聴履歴として取得し、この視聴履歴に基づいて、番組削除の優先度を設定する。
【００７０】
なお、放送記録装置１の使用者によって記憶部１７内の番組が視聴されて、この番組を記憶部１７から削除した場合は、記憶部１７での録画領域が増えるので、録画条件設定部２１の設定を自動録画ＯＮにしてステップＳ１００から上記と同様の処理を行う。
【００７１】
また、放送記録装置１の使用者によって記憶部１７から番組を削除された場合、記憶部１７において録画領域が増えるので、録画条件設定部２１の設定を自動録画ＯＮにしてステップＳ１００から上記と同様の処理を行う。
【００７２】
なお、削除可能な番組の条件や番組削除の優先度の設定は放送記録装置１の使用者によって任意に設定可能とする。また、記憶部１７からの番組の削除は、ＳＩ情報解析部１５によって連続ドラマ等の新番組があると確認された直後に行う場合に限られず、記憶部１７において連続ドラマ等の新番組を記憶する直前に行うようにしてもよい。
【００７３】
なお、本実施例１においては、録画予約された番組のＴＳを記憶部１７で記憶する構成としたが、番組の映像パケットや音声パケットを記憶部１７で記憶する構成としてもよい。
【００７４】
なお、本実施例１においては放送記録装置１の使用者による視聴履歴に基づいて番組削除の優先度を設定することとしたが、同一の日時に複数の新番組等が放送される場合に、放送記録装置１の使用者による視聴履歴に基づいて番組録画の優先度を設定するようにしてもよい。
【００７５】
このように実施例１によれば、ＳＩに基づいて連続放送される新番組の最初の放送から所定回数分の放送を自動的に録画するので、連続放送される新番組を初回放送から視聴することが可能となる。また、記憶部１７において記憶されている番組の中で不要と判断された番組を自動的に消去するので、視聴者に必要な番組を効率よく記憶しておくことが可能となる。
【実施例２】
【００７６】
つぎに、図４を用いてこの発明の実施例２について説明する。実施例２では、放送される番組に関する情報をＥＰＧから取得し、ＥＰＧに基づいて複数回に渡って放送される新番組のうち最初の所定回数分の放送を自動的に録画しておく。なお、本実施例２でもディジタル放送波を受信する例で記載するが、必ずしもこの形態での実施に限られるものではなく、アナログ放送波を受信する放送記録装置においても実施可能である。
【００７７】
図４は、本発明の実施例２にかかる放送記録装置の構成を示すブロック図である。図４の各構成要素のうち図１に示す実施例１の放送記録装置１と同一機能を達成する構成要素については同一番号を付しており、重複する説明は省略する。
【００７８】
放送記録装置２は、ディジタル放送波を受信して映像データや音声データを記録する装置であり、チューナ部１１、ＤｅＭＵＸ(Demulti- plexer)処理部１２、ＭＰＥＧ（Motion Picture Expert Group）復調部１３、表示部１４、ＳＩ情報解析部１５、録画／再生制御部１６、記憶部１７、入力部１８、条件設定部２０、ＥＰＧ受信部（インタフェース）３２、ＥＰＧ情報解析部３１からなる。
【００７９】
ＥＰＧ受信部３２は、放送される番組の一覧表等の情報を受信する。ＥＰＧ受信部３２は、例えばインターネットを介してＥＰＧを受信する。ＥＰＧには、放送される番組のチャンネル番号、チャンネル名、番組名、放送日時、連続番組である場合の総放送回数、連続番組において第何回目の放送であるか、番組の種別、番組内容の説明等の情報が含まれている。
【００８０】
ＥＰＧ情報解析部３１は、ＥＰＧ受信部３２が受信したＥＰＧを解析し、放送される番組に関する情報を抽出する。ＥＰＧ情報解析部３１は、ＥＰＧに基づいて例えば放送される番組に連続ドラマ等の新番組があるか否かを確認する。ＥＰＧ情報解析部３１が、ＥＰＧに基づいて連続ドラマ等の新番組があると確認した場合は、この新番組に関する情報を条件設定部２０に送る。
【００８１】
本実施例２においては、放送される番組に関する情報をＥＰＧから取得した後、実施例１の放送記録装置１と同様の処理によって複数回に渡って放送される新番組のうち最初の所定回数分の放送を自動的に録画しておく。すなわち、録画／再生制御部１６は、録画条件設定部２１において自動録画ＯＮに設定してあるか、番組を自動録画ＯＦＦに設定してあるかを確認する。
【００８２】
録画／再生制御部１６が、録画条件設定部２１において自動録画ＯＦＦに設定してあると確認した場合は、記憶部１７内に番組の録画領域が残っているか否かを確認する。記憶部１７内に番組の録画領域が残っていると確認された場合は、録画条件設定部２１の設定を自動録画ＯＮにする。
【００８３】
録画／再生制御部１６が、録画条件設定部２１の設定が自動録画ＯＮであると確認した場合、録画／再生制御部１６は、ＥＰＧ受信部３２がＥＰＧを受信するようＥＰＧ受信部３２を制御する。
【００８４】
ＥＰＧ受信部３２は、ＥＰＧをインターネット等を介して受信し、ＥＰＧ情報解析部３１に送る。ＥＰＧには、これから放送される番組のチャンネル番号、チャンネル名、番組名、放送日時、連続番組である場合の総放送回数、連続番組において第何回目の放送であるか、番組の種別、番組内容の説明等の情報が含まれており、ＥＰＧ情報解析部３１はこれらの情報を抽出する。
【００８５】
ＥＰＧ情報解析部３１は抽出した情報から、これから放送される番組であって、連続ドラマ等の新番組があるか否かを確認する。連続ドラマ等の新番組がない場合は、自動録画がＯＮの状態であって、ＥＰＧ情報解析部３１が連続ドラマ等の新番組があると確認するまで自動録画を行わない。一方、連続ドラマ等の新番組がある場合は、この番組のＥＰＧ（番組に関する情報）を抽出しておく。ＥＰＧ情報解析部１５は、例えば１週間に１回ずつ１０週連続して放送される連続ドラマがある場合、所定の放送回数分（例えば最初の４回）の番組に関する情報を抽出する。ここでのＥＰＧには番組のチャンネル番号、番組名、放送日時等の情報が含まれている。
【００８６】
連続ドラマ等の新番組がある場合、録画／再生制御部１６は記憶部１７に録画領域が残っているかを確認する。録画／再生制御部１６が記憶部１７に録画領域が残っていると判断した場合、録画／再生制御部１６は条件設定部２０に番組の録画予約の設定を行うよう指示情報を送る。条件設定部２０の録画条件設定部２１は、ＥＰＧ情報解析部３１が抽出した新番組に関する情報を録画条件設定部２１に送信するよう要求し、ＥＰＧ情報解析部３１から新番組に関する情報を取得する。録画条件設定部２１は、この新番組に関する情報に基づいて番組の録画予約を設定しておく。録画／再生制御部１６が記憶部１７に録画領域が所定容量以上残っていないと判断した場合、録画／再生制御部１６は記憶部１７において記憶している番組の中から削除可能な番組があるか否かを確認する。
【００８７】
録画／再生制御部１６は、削除可能な番組を記憶部１７から削除させる。このとき、削除条件と削除優先度に基づいて記憶部１７から番組を削除する。録画／再生制御部１６は、記憶部１７と削除条件設定部２２にアクセスし、記憶部１７に削除可能な番組が含まれていないと判断した場合は、放送記録装置１の使用者に対して記憶部１７に記憶している番組の中で削除してもよい番組があるか否かを問い合わせる。録画／再生制御部１６は、表示部１４等に「記憶部１７に記憶している番組の中で消去してもよい番組があるか」といった内容の問合せを表示させる。
【００８８】
放送記録装置１の使用者は、記憶部１７に記憶している番組の中で消去してもよい番組があると判断した場合は、消去してもよい番組を入力部１８を介して指定する。一方、放送記録装置１の使用者が記憶部１７に記憶している番組の中で消去してもよい番組がないと判断した場合は、番組を消去しない旨の指示情報を入力部１８に入力する。
【００８９】
録画／再生制御部１６が、放送記録装置１の使用者によって削除してもよい番組が指定されたと確認した場合は、この指定された番組を記憶部１７から消去させる。一方、録画／再生制御部１６が放送記録装置１の使用者によって番組を消去しない旨の指示情報が入力されたことを確認した場合は、録画条件設定部２１の設定を自動録画ＯＦＦにさせる。
【００９０】
記憶部１７から番組が消去されて録画／再生制御部１６が記憶部１７に録画領域が所定容量以上残っていると確認された後、録画条件設定部２１は、ＥＰＧ情報解析部３１からの新番組に関する情報に基づいて番組の録画予約を設定する。
【００９１】
この後、録画条件設定部２１における番組の録画予約の設定に基づいて番組の録画が行われる。以下、実施例１の放送記録装置１と同様に使用者の必要に応じて記憶部１７に記憶している番組を再生する。また、必要に応じて記憶部１７に記憶している番組を削除する。なお、ＥＰＧとしてはインターネットを介して受信する場合に限られずディジタル放送される番組等から取得するようにしてもよい。
【００９２】
このように実施例２によれば、ＥＰＧに基づいて連続放送される新番組の最初の放送から所定回数分の放送を自動的に録画するので、連続放送される新番組を初回放送から視聴することが可能となる。
【００９３】
なお、本実施例ではディジタル放送を記録する記録装置について説明したが、本発明は通常のアナログ放送波によるテレビジョン放送を受信し記録する記録装置にも適用可能であることは言うまでもない。その場合、本発明に係る記録装置は、情報取得部としてＬＡＮ等のネットワークインタフェースを備え、インターネット等を介してＥＰＧを取得し、ＥＰＧに基づいて複数回に渡って放送される新番組のうち最初の所定回数分の放送を自動的に録画する構成としてもよい。
【図面の簡単な説明】
【００９４】
【図１】本発明の実施例１にかかる放送記録装置の構成を示すブロック図である。
【図２】放送記録装置の動作手順を示すフローチャートである。
【図３】ディジタル放送によって送信されるＴＳを説明するための図である。
【図４】本発明の実施例２にかかる放送記録装置の構成を示すブロック図である。
【符号の説明】
【００９５】
１，２  放送記録装置
１１  チューナ部
１２  ＤｅＭＵＸ処理部
１３  ＭＰＥＧ復調部
１４  表示部
１５  ＳＩ情報解析部
１６  録画／再生制御部
１７  記憶部
１８  入力部
２０  条件設定部
２１  録画条件設定部
２２  削除条件設定部
３１  ＥＰＧ情報解析部
３２  ＥＰＧ受信部
【図１】
2005278096.tif 000003
【図２】
2005278096.tif 000004
【図３】
2005278096.tif 000005
【図４】
2005278096.tif 000006